(57)【要約】【課題】ベースに対して平行移動可能なグリップを備えたコントローラを提供すること。【解決手段】グリップ３４を支持するシャフト２０、押圧プレート１９、ガイドプレートをベース１４に対して水平移動するように配置した。これにより、グリップ３４の水平移動が可能となる。そして、板バネＢ１〜Ｂ４の弾性力によりグリップ３４を常時中立位置の方向を付勢するようにした。これにより、プレーヤがグリップ３４への外力を解除した際に、板バネＢ１〜Ｂ４の弾性力によりグリップ３４は中立位置へ復帰させられる。【選択図】　　　図２
2004079308.tif 000002
【特許請求の範囲】
【請求項１】
グリップをベース対して平行移動可能に支持する支持部材と、
前記支持部材を外方から常時中立方向へ付勢する付勢手段と、
前記支持部材周辺に設けられ、前記グリップの移動に伴い支持部材と接触する複数のスイッチと
を備えたコントローラ。
【請求項２】
前記グリップはガイド手段により移動量が規制されて水平移動する請求項１に記載のコントローラ。
【請求項３】
前記ガイド手段は円孔と同円孔の内周縁と接するガイドピンとによって構成され、同円孔は前記支持部材側又はベース側のいずれか一方に形成され同ガイドピンは同支持部材側又はベース側のいずれか他方に形成されていることを特徴とする請求項２に記載のコントローラ。
【請求項４】
前記支持部材の前記複数のスイッチに対する入力部は同支持部材の中心から等距離にある円弧部として構成されていることを特徴とする請求項１〜３のいずれかに記載のコントローラ。
【発明の詳細な説明】
【０００１】
【発明の属する技術分野】
本発明は、例えば、モニター画面に表示されるマークを任意の位置へ移動させる際に操作されるコントローラに関するものである。
【０００２】
【従来の技術】
ゲームセンター等に設置されているビデオゲームには、モニター画面に表示されたマーク（キャラクター）を操作するためのコントローラが装備されている。一般的にこのコントローラとしては、操作盤から突出するレバー（ジョイスティック）が使用されている。このジョイスティックを構成するシャフトはジョイントを介して操作盤に対し、前後左右へ傾動可能に保持されている。シャフトの一端側にはプレーヤが握りやすいようにグリップが取着され、多端側にはプレートが取着されている。このプレートの周辺には、同プレートを包囲するように前後左右４部位にマイクロスイッチが取着されている。
プレーヤがシャフトを前方へ傾動させることにより、プレートが後方に取着されたマイクロスイッチに接触し、モニター画面に表示されている所望のマークが前方へ移動する。また、プレーヤがシャフトを右方へ傾動させた際には、プレートが左方に取着されたマイクロスイッチと接触し、モニター画面に表示されている所望のマークが左方へ移動する。プレートにより、前後方向のマイクロスイッチと左右方向のマイクロスイッチの両スイッチがオンされた場合、例えば、シャフトを右斜め前方へ傾動させた際には後方のマイクロスイッチと左方のマイクロスイッチとの２つのスイッチがプレートと接触してオンされ、所望のマークはモニター画面上を右斜め前方へ移動する。
【０００３】
【発明が解決しようとする課題】
しかしながら、上記従来技術おけるコントローラにおいては次のような問題があった。
マークはコントローラの操作に基づきモニタ画面上を水平８方向へ移動するが、上記従来技術のコントローラはジョイント部を介して傾動することから、プレーヤが把持するグリップは実際には水平移動ではなく円弧移動している。
すなわち、マークはモニター画面上を水平移動するにもかかわらず、プレーヤが操作するコントローラのグリップは円弧移動である。そのため、プレーヤはコントローラの操作に違和感をおぼえていた。そのため、ゲーム全体の質が低下し、結果的に面白さが低下してしまうという問題があった。
本発明は上記問題点を解消するためになされたものであって、その目的は、ベースに対して平行移動可能なグリップを備えたコントローラを提供することにある。
【０００４】
【課題を解決するための手段】
上記目的を達成するために、請求項１に記載の発明では、グリップをベース対して平行移動可能に支持する支持部材と、前記支持部材を外方から常時中立方向へ付勢する付勢手段と、前記支持部材周辺に設けられ、前記グリップの移動に伴い支持部材と接触する複数のスイッチとを備えたことをその要旨とする。
請求項２に記載の発明では、請求項１に記載の発明において、前記グリップはガイド手段により移動量が規制されて水平移動することをその要旨とする。
請求項３に記載の発明では、請求項２に記載の発明において、前記ガイド手段は円孔と同円孔の内周縁と接するガイドピンとによって構成され、同円孔は前記支持部材側又はベース側のいずれか一方に形成され同ガイドピンは同支持部材側又はベース側のいずれか他方に形成するようにしたことをその要旨とする。
請求項４に記載の発明では、請求項１〜３のいずれかに記載の発明において、前記支持部材の前記複数のスイッチに対する入力部は同支持部材の中心から等距離にある円弧部として構成されていることをその要旨とする。
【０００５】
（作用）
請求項１に記載の発明においては、グリップをベース対して平行移動させると、いずれかのスイッチに支持部材が接触する。接触したスイッチからの信号に基づいて、グリップの移動方向が検出される。プレーヤがグリップから力を抜くと、付勢手段の付勢力によりグリップは中立位置に復帰される。
請求項２に記載の発明においては、請求項１に記載の発明の作用に加え、グリップを移動させる際にはガイド手段によりスムーズにグリップを平行移動させることができる。
請求項３に記載の発明においては、請求項２に記載の発明の作用に加え、支持部材側又はベース側のいずれか一方に形成された円孔に対して支持部材側又はベース側のいずれか他方に形成されたガイドピンはその内周縁と接することによってグリップの移動が規制されるとともに内周縁に案内されてグリップの円運動を許容する。
請求項４に記載の発明では、請求項１〜３のいずれかに記載の発明の作用に加え、プレーヤの通常のグリップ操作では生じ難い作用、例えばグリップ自体を自転させるような「ひねり」のような作用が働いた場合でも入力部は円弧状に形成されているため入力部がスイッチに干渉することがなく、予定外の入力が発生しにくくなる。入力部形状は円弧状が連結された円盤状であってもよい。
【０００６】
【発明の実施の形態】
以下、本発明をモニター画面付きのゲーム機に具体化した一実施形態を図面に基づいて説明する。
図１に示すように、筐体１１の上面にはモニター画面１２が設置されている。このモニター画面１２には星形のマークＭ１と円形のマークＭ２が表示されている。モニター画面１２の前後方にはコントローラ１３がそれぞれ設置されている。
図２〜図４に示すように、コントローラ１３を構成するベース１４はビス１０により前記筐体１１の上面にモニター画面１２と平行となるように取付固定されている。ベース１４　の中央部にはマイクロスイッチ取付板１５が取着されている。同マイクロスイッチ取付板１５には第１マイクロスイッチＳ１、第２マイクロスイッチＳ２、第３マイクロスイッチＳ３、第４マイクロスイッチＳ４の４つのマイクロスイッチが９０度間隔で放射状に取着されている。各マイクロスイッチＳ１〜Ｓ４は図示しない制御装置に接続されている。
【０００７】
各マイクロスイッチＳ１〜Ｓ４には斜め上方に向かって延びる接触片１６が突出している。接触片１６は軸１７を中心として回転可能にケース１８に支持されている。ケース１８内には図示しないバネが収容され、同バネの弾性力により前記接触片１６は常時上方に向かって付勢されている。この状態では、各マイクロスイッチＳ１〜Ｓ４はオフ状態である。そして、接触片１６にバネの弾性力とは抗する力が付与され、接触片１６が一定量回転した際には、マイクロスイッチＳ１〜Ｓ４は制御装置にオン信号を出力するようになっている。
各マイクロスイッチＳ１〜Ｓ４の接触片１６には支持部材及び入力部を構成する円盤状の押圧プレート１９が載置されている。押圧プレート１９の中心部位には支持部材を構成するシャフト２０が支持されている。シャフト２０の上方は四角柱形状をなし、上端面にはネジ穴２１が形成されている。
【０００８】
前記マイクロスイッチ取付板１５及び押圧プレート１９を包囲するようにベース１４には固定プレート２２がビス２３により取付固定されている。固定プレート２２の４枚の側板２４にはビス２５により付勢手段としての第１板バネＢ１
、第２板バネＢ２、第３板バネＢ３、第４板バネＢ４が取付固定されている。各板バネＢ１〜Ｂ４の上端は天板２６よりも上方へ突出しており、その先端部は天板２６側に向けて折曲形成された押圧部２７となっている。いる。天板２６の中央部位には貫通孔２８が形成され、前記シャフト２０が挿通されている。シャフト２０は貫通孔２８内を前後左右へ自在に移動できるようになっている。前記天板２６の上面には貫通孔２８を狭持するようにガイド手段を構成する円柱状のガイドピン２９が２本立設されている。
【０００９】
前記天板２６には支持部材を構成する正方形状のガイドプレート３０が載置されている。ガイドプレート３０の中心部には前記シャフト２０と嵌合する嵌合孔３２が形成されている。また、ガイドプレート３０には前記固定プレート２２のガイドピン２９が挿通されるガイド手段を構成するガイド孔３３が形成されている。このガイド孔３３は前記ガイドピン２９よりも大径に形成されている。ガイドプレート３０が外力が付与されずに天板２６に載置されている状態では、図４（ｂ）に示すように各板バネＢ１〜Ｂ４の弾性力によりガイドプレート３０は天板２６に対して中央部位に配置されている（中立位置）。
前記ベース１４を除く各部材はカップ状のグリップ３４により遮蔽され、外部からは見えないようになっている。グリップ３４の中心部には孔３５が形成され、この孔３５を介してビス３６が前記シャフト２０のネジ孔２１に螺合している。これにより、シャフト２０を介してグリップ３４、ガイドプレート３０、押圧プレート１９が一体移動するようになっている。前記グリップ３４の位置が中立位置、すなわち、押圧プレート１９が図３及び図４に示す状態にある場合には、各マイクロスイッチＳ１〜Ｓ４はオフ状態に保持されている。
前記押圧プレート１９と固定プレート２２の天板２６との間及びガイドプレート３０と天板２６との間には複数個のボール４０が介在されている。このボール４０により、固定プレート２２に対して押圧プレート１９とガイドプレート３０がスムーズに平行移動できるようになっている。
【００１０】
次に、電気的構成を簡単に説明する。
前述したように前記各マイクロスイッチＳ１〜Ｓ４は制御装置に接続されている。制御装置は第１マイクロスイッチＳ１からオン信号を入力するとモニター画面１２に表示されているマークＭ１，Ｍ２を前方向へ移動させるようになっている。また、制御装置は第２マイクロスイッチＳ２からオン信号を入力するとモニター画面１２に表示されているマークＭ１，Ｍ２を後方向へ移動させるようになっている。また、制御装置は第３マイクロスイッチＳ３からオン信号を入力するとモニター画面１２に表示されているマークＭ１、Ｍ２を左方向へ移動させるようになっている。さらに、制御装置は第４マイクロスイッチＳ４からオン信号を入力するとモニター画面１２に表示されているマークＭ１，Ｍ２を右方向へ移動させるようになっている。
【００１１】
また、制御装置は第１マイクロスイッチＳ１と第３マイクロスイッチＳ３との両スイッチからオン信号を入力した場合には、マークＭ１，Ｍ２を左斜め前方へ移動させるようになっている。また、制御装置は第１マイクロスイッチＳ１と第４マイクロスイッチＳ４との両スイッチからオン信号を入力した場合には、マークＭ１、Ｍ２を右斜め前方へ移動させるようになっている。また、制御装置は第２マイクロスイッチＳ２と第３マイクロスイッチＳ３との両スイッチからオン信号を入力した場合には、マークＭ１，Ｍ２を左斜め後方へ移動させるようになっている。さらに、制御装置は第２マイクロスイッチＳ２と第４マイクロスイッチＳ４との両スイッチからオン信号を入力した場合には、マークＭ１，Ｍ２を右斜め後方へ移動させるようになっている。
【００１２】
次に上記のように構成されたコントローラ１３の作用について説明する。
まず、コントローラ１３のグリップ３４が中立位置にある状態、すなわち、図３及び図４に示すように、各マイクロスイッチＳ１〜Ｓ４がオフの状態ではモニター画面１２上のマークＭ１，Ｍ２はその位置に停滞した状態に保持されている。
そして、マークＭ１（Ｍ２）の位置を前方に移動させたい場合には、プレーヤはグリップ３４を把持して、図５及び図６に示すように、板バネＢ１，Ｂ４の弾性力に抗して前方にグリップ３４をスライドさせる。すると、シャフト２０を介してガイドプレート３０及び押圧プレート１９がグリップ３４と一体移動する。グリップ３４の移動量は固定プレート２２のガイドピン２９とガイドプレート３０のガイド孔３５との干渉により規制される。グリップ３４の移動に伴い、押圧プレート１９が第１マイクロスイッチＳ１の接触片１６を押圧し、同スイッチＳ１がオンする。第１マイクロスイッチＳ１がオンすることにより、モニター画面１２上のマークＭ１（Ｍ２）が前方へ移動する。
プレーヤはマークＭ１（Ｍ２）の移動を停止したい場合には、グリップ３４に付与していた外力を解除する。すなわち、グリップ３４への力を抜く。すると、板バネＢ１，Ｂ４の弾性力によりガイドプレート３０が後方へ押圧され、グリップ３４及び押圧プレート１９が図３、図４の中立位置に復帰される。押圧プレート１９が中立位置に復帰することにより、マイクロスイッチＳ１がオフ状態となり、マークＭ１（Ｍ２）の前方への移動が停止する。
【００１３】
また、マークＭ１（Ｍ２）を後方に移動させたい場合には、プレーヤはグリップ３４を把持して、図７に示すように、板バネＢ２，Ｂ３の弾性力に抗して後方（手前）にグリップ３４をスライドさせる。すると、シャフト２０を介してガイドプレート３０及び押圧プレート１９がグリップと一体移動する。グリップ３４の移動量は固定プレート２２のガイドピン２９とガイドプレート３０のガイド孔３５との干渉により規制される。グリップ３４の移動に伴い、押圧プレート１９が第２マイクロスイッチＳ２の接触片１６を押圧し、同スイッチＳ２がオンする。第２マイクロスイッチＳ２がオンすることにより、モニター画面１２上のマークＭ１（Ｍ２）が前方へ移動する。プレーヤはマークＭ１（Ｍ２）の移動を停止したい場合には、グリップ３４に付与していた外力を解除する。すなわち、グリップ３４への力を抜く。すると、板バネＢ２，Ｂ３の弾性力によりガイドプレート３０が後方へ押圧され、グリップ３４及び押圧プレート１９が図３、図４の中立位置に復帰される。押圧プレート１９が中立位置に復帰することにより、第２マイクロスイッチＳ２がオフ状態となり、マークＭ１（Ｍ２）の移動が停止する。
【００１４】
また、そして、マークＭ１（Ｍ２）の位置を右方に移動させたい場合には、プレーヤはグリップ３４を把持して、図８に示すように、板バネＢ１，Ｂ２の付勢力に抗して右方にグリップ３４をスライドさせる。すると、シャフト２０を介してガイドプレート３０及び押圧プレート１９がグリップ３４と一体移動する。グリップ３４の移動量は固定プレート２２のガイドピン２９とガイドプレート３０のガイド孔３５との干渉により規制される。グリップ３４の移動に伴い、押圧プレート１９が第４マイクロスイッチＳ４の接触片１６を押圧し、同スイッチＳ４がオンする。第４マイクロスイッチＳ４がオンすることにより、モニター画面１２上のマークＭ１（Ｍ２）が右方へ移動する。
プレーヤはマークＭ１（Ｍ２）の移動を停止したい場合には、グリップ３４への力を抜く。すると、板バネＢ１，Ｂ２の弾性力によりガイドプレート３０が後方へ押圧され、グリップ３４及び押圧プレート１９が図３、図４の中立位置に復帰される。押圧プレート１９が中立位置に復帰することにより、第４マイクロスイッチＳ４がオフ状態となり、マークＭ１（Ｍ２）の移動が停止する。
【００１５】
また、マークＭ１（Ｍ２）の位置を左方に移動させたい場合には、プレーヤはグリップ３４を把持して、図９に示すように、板バネＢ３，Ｂ４の弾性力に抗して左方にグリップ３４をスライドさせる。すると、シャフト２０を介してガイドプレート３０及び押圧プレート１９がグリップ３４と一体移動する。グリップ３４の移動量は固定プレート２２のガイドピン２９とガイドプレート３０のガイド孔３５との干渉により規制される。グリップ３４の移動に伴い、押圧プレート１９が第３マイクロスイッチＳ３の接触片１６を押圧し、同スイッチＳ３がオンする。第３マイクロスイッチＳ３がオンすることにより、モニター画面１２上のマークＭ１（Ｍ２）が左方へ移動する。
プレーヤはマークＭ１（Ｍ２）の移動を停止したい場合には、グリップ３４に付与していた外力を解除する。すなわち、グリップ３４への力を抜く。すると、板バネＢ３，Ｂ４の弾性力によりガイドプレート３０が後方へ押圧され、グリップ３４及び押圧プレート１９が図３、図４の中立位置に復帰される。押圧プレート１９が中立位置に復帰することにより、第３マイクロスイッチＳ３がオフ状態となり、マークＭ１（Ｍ２）の移動が停止する。
【００１６】
また、マークＭ１（Ｍ２）の位置を右斜め前方に移動させたい場合には、プレーヤはグリップ３４を把持して、図１０に示すように、板バネＢ１，Ｂ２の弾性力に抗して右斜め前方にグリップ３４をスライドさせる。すると、シャフト２０を介してガイドプレート３０及び押圧プレート１９がグリップ３４と一体移動する。グリップ３４の移動量は固定プレート２２のガイドピン２９とガイドプレート３０のガイド孔３５との干渉により規制される。グリップ３４の移動に伴い、押圧プレート１９が第１マイクロスイッチＳ１及び第４マイクロスイッチＳ４の接触片１６を押圧し、両スイッチＳ１，Ｓ４がオンする。両スイッチＳ１，Ｓ４がオンすることにより、モニター画面１２上のマークＭ１（Ｍ２）が右斜め前方へ移動する。
プレーヤはマークＭ１（Ｍ２）の移動を停止したい場合には、グリップ３４に付与していた外力を解除する。すなわち、グリップ３４への力を抜く。すると、板バネＢ１の弾性力によりガイドプレート３０が左斜め後方へ押圧され、グリップ３４及び押圧プレート１９が図３、図４の中立位置に復帰される。押圧プレート１９が中立位置に復帰することにより、第１マイクロスイッチＳ１及び第４マイクロスイッチＳ４がオフ状態となり、マークＭ１（Ｍ２）の移動が停止する。
【００１７】
また、マークＭ１（Ｍ２）の位置を左斜め前方に移動させたい場合には、プレーヤはグリップ３４を把持して、板バネＢ４の弾性力に抗して左斜め前方にグリップ３４をスライドさせる。すると、シャフト２０を介してガイドプレート３０及び押圧プレート１９がグリップ３４と一体移動する。グリップ３４の移動量は固定プレート２２のガイドピン２９とガイドプレート３０のガイド孔３５との干渉により規制される。グリップ３４の移動に伴い、押圧プレート１９が第１マイクロスイッチＳ１及び第３マイクロスイッチＳ３の接触片１６を押圧し、両スイッチＳ１，Ｓ３がオンする。両マイクロスイッチＳ１，Ｓ４がオンすることにより、モニター画面１２上のマークＭ１（Ｍ２）が左斜め前方へ移動する。
プレーヤはマークＭ１（Ｍ２）の移動を停止したい場合には、グリップ３４に付与していた外力を解除する。すなわち、グリップ３４への力を抜く。すると、板バネＢ４の弾性力によりガイドプレート３０が後方へ押圧され、グリップ３４及び押圧プレート１９が図３、図４の中立位置に復帰される。押圧プレート１９が中立位置に復帰することにより、両マイクロスイッチＳ１，Ｓ４がオフ状態となり、マークＭ１（Ｍ２）の移動が停止する。
【００１８】
また、マークＭ１（Ｍ２）の位置を左斜め後方に移動させたい場合には、プレーヤはグリップ３４を把持して、板バネＢ３の弾性力に抗して左斜め後方にグリップ３４をスライドさせる。すると、シャフト２０を介してガイドプレート３０及び押圧プレート１９がグリップ３４と一体移動する。グリップ３４の移動量は固定プレート２２のガイドピン２９とガイドプレート３０のガイド孔３５との干渉により規制される。グリップ３４の移動に伴い、押圧プレート１９が第２マイクロスイッチＳ２及び第３マイクロスイッチＳ３の接触片１６を押圧し、両スイッチＳ２，Ｓ３がオンする。両マイクロスイッチＳ２，Ｓ３がオンすることにより、モニター画面１２上のマークＭ１（Ｍ２）が左斜め後方へ移動する。
プレーヤはマークＭ１（Ｍ２）の移動を停止したい場合には、グリップ３４に付与していた外力を解除する。すなわち、グリップ３４への力を抜く。すると、板バネＢ３の弾性力によりガイドプレート３０が後方へ押圧され、グリップ３４及び押圧プレート１９が図３、図４の中立位置に復帰される。押圧プレート１９が中立位置に復帰することにより、両マイクロスイッチＳ２，Ｓ３がオフ状態となり、マークＭ１（Ｍ２）の移動が停止する。
【００１９】
また、マークＭ１（Ｍ２）の位置を右斜め後方に移動させたい場合には、プレーヤはグリップ３４を把持して、板バネＢ２の弾性力に抗して右斜め後方にグリップ３４をスライドさせる。すると、シャフト２０を介してガイドプレート３０及び押圧プレート１９がグリップ３４と一体移動する。グリップ３４の移動量は固定プレート２２のガイドピン２９とガイドプレート３０のガイド孔３５との干渉により規制される。グリップ３４の移動に伴い、押圧プレート１９が第２マイクロスイッチＳ２及び第４マイクロスイッチＳ４の接触片１６を押圧し、両スイッチＳ２，Ｓ４がオンする。両マイクロスイッチＳ２，Ｓ４がオンすることにより、モニター画面１２上のマークＭ１（Ｍ２）が右斜め後方へ移動する。
プレーヤはマークＭ１（Ｍ２）の移動を停止したい場合には、グリップ３４に付与していた外力を解除する。すなわち、グリップ３４への力を抜く。すると、板バネＢ２の弾性力によりガイドプレート３０が後方へ押圧され、グリップ３４及び押圧プレート１９が図３、図４の中立位置に復帰される。押圧プレート１９が中立位置に復帰することにより、両マイクロスイッチＳ２，Ｓ４がオフ状態となり、マークＭ１（Ｍ２）の移動が停止する。
尚、ここでは一旦グリップ３４を中立位置に復帰させたが、ある方向（例えば後方）からある方向（例えば右斜め後方）に中立位置に復帰させずに操作することも可能である。その場合には干渉状態にあるガイドピン２９とガイド孔３３とにおいてそのままガイドピン２９をガイド孔３３内周縁を摺接させながらグリップ３４を円運動させていくこととなる。
【００２０】
ここに、プレーヤがプレーに熱中してグリップ３４を操作することによって、グリップ３４の上記予定した以外の動きが生じることがある。具体的にはプレーヤがグリップをひねって押圧プレート１９やガイドプレート３０にシャフト２０を中心とした回転（自転）運動を与えてしまう可能性がある。ガイドプレート３０は四方から板バネＢ１〜Ｂ４によって包囲されているに過ぎないため、このようなひねりを確実に防止することはできない。ガイドプレート３０の回転によって板バネＢ１〜Ｂ４は外方に押し広げられてしまうわけである。しかし、押圧プレート１９は円盤状に形成されているため、このような回転運動が生じたとしても各マイクロスイッチＳ１〜Ｓ４の接触片１６との接触は原則的には生じないようになっている。
もしこれが、例えば正方形の押圧プレートであると中心から周縁までの距離が異なるため回転運動が生じることで予定しない接触片１６との干渉が生じてしまい、コントローラ１３の操作不能に陥ってしまう可能性がある。ところが、円盤状の押圧プレート１９は中心から周縁までが等距離であるためこのような予定外のグリップ３４の操作があっても接触片１６との干渉が生じないこととなっているためコントローラ１３の操作に支障はない。
【００２１】
上記のように、本実施の形態ではコントローラ１３を構成したことにより、次のような効果を得ることができる。
・グリップを円弧移動させて入力操作を行う従来技術のコントローラとは異なり、グリップ３４をベース１４に対して平行移動させて入力操作を行うようにした。これにより、モニター画面１２上を水平移動するマークＭ１，Ｍ２を移動させる際においても、プレーヤはコントローラ１３の操作に違和感をおぼえることなく、ゲームを楽しく行うことができる。
・固定プレート２２の天板２６にガイドピン２９を立設し、ガイドプレート３０にガイド孔３３を設けた。そして、グリップ３４の移動量をガイドピン２９とガイド孔３５との干渉により規制するようにした。これにより、グリップ３４を所定量よりも移動させるのを防止でき、マイクロスイッチＳ１〜Ｓ４や各種部材の破損を防止することができる。
また、ガイドピン２９にガイド孔３３内周縁を摺接させながらグリップ３４を水平移動させることで、グリップ３４を断続的な動きではなく、スムーズに水平方向への円運動させることができる。これにより、素早くマークＭ１，Ｍ２を前後左右斜め８方向へ移動させることができ、より一層操作性を向上できる。
・グリップ３４を中立位置へ復帰させるために、板バネＢ１〜Ｂ４の弾性力を使用したが、板バネＢ１〜Ｂ４は固定プレート２２の側２４に対し、単にビス２５により取付固定されていることから、コイルバネを使用する場合よりも組み付け性が良くコストの低減を図ることができる。
・押圧プレート１９は円盤状に形成されているため、プレーヤがプレーに熱中してグリップ３４をひねって押圧プレート１９に対する回転運動が生じたとしても接触片１６との干渉が生することがなく、コントローラ１３の操作に支障がない。
【００２２】
なお、本発明は次のように具体化してもよい。
・上記実施形態では、付勢手段として４枚の板バネＢ１〜Ｂ４を使用して具体化したが、付勢手段をコイルバネやゴム板等を使用して具体化してもよい。
・上記実施形態では、モニター画面１２を備えたゲーム機にコントローラ１３を装着し、グリップ３４の操作に伴い、モニター画面１２に表示されているマークＭ１，Ｍ２を移動させるようにしたが、自動車や飛行機、またはロボット等のリモートコントローラの操縦機に本実施形態のコントローラ１３を備えて具体化してもよい。
・上記実施形態では、第１マイクロスイッチＳ１〜第４マイクロスイッチＳ１４の４個のマイクロスイッチを使用して具体化したが、マイクロスイッチの数を４個未満または５個以上使用して具体化してもよい。また、制御する方向も８方向以上であってもあるいは８方向未満であってもよい。
・上記実施形態では、隣接する２個のマイクロスイッチが同時にオンした場合には、斜め方向へ移動するようにした。すなわち、上記実施形態ではマークＭ１，Ｍ２を８方向へ移動できるようにしたが、マークＭ１，Ｍ２の移動は前後左右の４方向のみとして具体化してもいよい。
・上記実施形態では、固定プレート２２の天板２６に２本のガイドピン２９を設け、ガイドプレート３０にはガイドピン２９が挿通されるガイド孔３３を設けたが、ガイドピン２９とガイド孔３３を設けずに具体化してもよい。また、ガイドピン２９、ガイド孔３３の数を適宜変更して具体化してもよい。
・上記実施の形態では押圧プレート１９は円盤状であったが、要は回転運動において中心から等距離を維持できればよいため接触片１６と接触する方向さえ円弧状であれば必ずしも押圧プレート１９は円盤状である必要はない。
上記実施形態では、グリップ３４の移動方向をモニター画面１２と平行となるように、水平方向に配置したが、モニター画面１２が垂直に設けられている場合には、グリップ３４の移動方向を垂直方向としてコントローラ１３を配置して具体化してもよい。
【００２３】
【発明の効果】
請求項１に記載の発明によれば、グリップを円弧移動させて入力操作を行う従来技術のコントローラとは異なり、グリップをベースに対して平行移動させて入力操作を行うようにした。これにより、モニター画面上を水平移動するマーク等を移動させる際においても、プレーヤはコントローラの操作に違和感をおぼえることなく、よりリアルにゲーム等を行うことができるという優れた効果を奏する。
請求項２に記載の発明によれば、請求項１に記載の発明の効果に加え、スムーズにグリップを平行移動させることができることから、操作性を向上できるという優れた効果を奏する。
請求項３に記載の発明によれば、請求項２に記載の発明の効果に加え、ガイドピンがその内周縁と接することによってグリップの移動が規制されるとともに内周縁に案内されてグリップの円運動を許容するため操作性を向上できる。
請求項４に記載の発明によれば、請求項１〜４のいずれかに記載の発明の効果に加え、プレーヤの通常のグリップ操作では生じ難い作用、例えばグリップ自体を自転させるような「ひねり」のような作用が働いた場合でも入力部が円弧状に形成されているため入力部のスイッチに対する予定外の入力が発生しにくくなるため、コントローラの操作における不具合が生じることがない。
【００２４】
【図面の簡単な説明】
【図１】本発明を具体化した一実施形態のゲーム機の斜視図。
【図２】コントローラの分解斜視図。
【図３】グリップが中立位置の状態におけるコントローラの正断面図。
【図４】（ａ）はグリップが中立位置の状態における各マイクロスイッチの状態を示すコントローラの部分平面図。（ｂ）はグリップが中立位置の状態における各板バネとガイドプレートの状態を示すコントローラの部分平面図。
【図５】グリップを前方へスライドさせた状態におけるコントローラの正断面図。
【図６】（ａ）はグリップを前方へスライドさせた状態における各マイクロスイッチの状態を示すコントローラの部分平面図。（ｂ）はグリップがを前方へスライドさせた状態における各板バネとガイドプレートの状態を示すコントローラの部分平面図。
【図７】（ａ）はグリップを下方へスライドさせた状態における各マイクロスイッチの状態を示すコントローラの部分平面図。（ｂ）はグリップがを下方へスライドさせた状態における各板バネとガイドプレートの状態を示すコントローラの部分平面図。
【図８】（ａ）はグリップを右方へスライドさせた状態における各マイクロスイッチの状態を示すコントローラの部分平面図。（ｂ）はグリップがを右方へスライドさせた状態における各板バネとガイドプレートの状態を示すコントローラの部分平面図。
【図９】（ａ）はグリップを左方へスライドさせた状態における各マイクロスイッチの状態を示すコントローラの部分平面図。（ｂ）はグリップがを左方へスライドさせた状態における各板バネとガイドプレートの状態を示すコントローラの部分平面図。
【図１０】（ａ）はグリップを右斜め前方へスライドさせた状態における各マイクロスイッチの状態を示すコントローラの部分平面図。（ｂ）はグリップがを右斜め前方へスライドさせた状態における各板バネとガイドプレートの状態を示すコントローラの部分平面図。
【符号の説明】
１３…コントローラ、１４…ベース、１９…支持部材を構成する押圧プレート、２０…支持部材を構成するシャフト、２９…ガイド手段を構成するガイドピン、３０…支持部材を構成するガイドプレート、３３…ガイド手段を構成するガイド孔、３４…グリップ、Ｓ１…スイッチとしての第１マイクロスイッチ、Ｓ２…スイッチとしての第２マイクロスイッチ、Ｓ３…スイッチとしての第３マイクロスイッチ、Ｓ４…スイッチとしての第４マイクロスイッチ、Ｂ１…付勢手段としての第１板バネ、Ｂ２…付勢手段としての第２板バネ、Ｂ３…付勢手段としての第３板バネ、Ｂ４…付勢手段としての第４板バネ。
【図１】
2004079308.tif 000003
【図２】
2004079308.tif 000004
【図３】
2004079308.tif 000005
【図４】
2004079308.tif 000006
【図５】
2004079308.tif 000007
【図６】
2004079308.tif 000008
【図７】
2004079308.tif 000009
【図８】
2004079308.tif 000010
【図９】
2004079308.tif 000011
【図１０】
2004079308.tif 000012